(57)【要約】【課題】例えば、フラットデッキプレート型枠工法により、床スラブの下面に間仕切り壁を構築する際に、フラットデッキプレートのリブの切断を不要とすることによって、作業時間の短縮と、構築コストの低減を図ることができるフラットデッキプレートを提供する。【解決手段】フラットデッキプレート型枠工法において使用されるフラットデッキプレートにおいて、上部プレート１と、上部プレート１の下面に取り付け手段２を介して着脱可能に取り付けられる複数本のリブ３とからなる。【選択図】図２
2019065511.tif 000002
【特許請求の範囲】
【請求項１】
鋼製型枠工法において使用されるデッキプレートにおいて、
上部プレートと、前記上部プレートに対して着脱可能に設けられた複数本のデッキプレート用補強リブとからなることを特徴とするデッキプレート。
【請求項２】
前記デッキプレートは、前記上部プレートと、前記上部プレートの下面に、前記デッキプレート用補強リブが取り付け手段を介して着脱可能に取り付けられたフラットデッキプレートからなることを特徴とする、請求項１に記載のデッキプレート。
【請求項３】
前記取り付け手段は、スナップボタン、面ファスナー、接着剤、取り外し可能なビス、または、嵌合構造からなっていることを特徴とする、請求項２に記載のデッキプレート。
【請求項４】
前記嵌合構造は、前記上部プレートに形成された凹部と、前記デッキプレート用補強リブの上面に形成された、前記凹部に嵌合する凸部とからなることを特徴とする、請求項３に記載のデッキプレート。
【請求項５】
前記嵌合構造は、前記上部プレートに形成された凸部と、前記デッキプレート用補強リブの上面に形成された、前記凸部が嵌合する凹部とからなることを特徴とする、請求項３に記載のデッキプレート。
【請求項６】
前記上部プレートには、上部プレート用補強リブが形成されていることを特徴とする、請求項１から５の何れか１つに記載のデッキプレート。
【請求項７】
前記上部プレート用補強リブは、前記上部プレートの長手方向に沿って形成されていることを特徴とする、請求項６に記載のデッキプレート。
【発明の詳細な説明】
【技術分野】
【０００１】
この発明は、デッキプレート、特に、例えば、フラットデッキプレート型枠工法により、床スラブの下面に間仕切り壁を構築する際に、フラットデッキプレートのリブの切断が不要となるとともに、リブ部の再使用が可能となるデッキプレートに関するものである。
【背景技術】
【０００２】
従来、フラットデッキプレート型枠工法により、床スラブの下面にリブと直交させて、例えば、耐火間仕切り壁を構築する際には、フラットデッキプレートのリブと耐火間仕切り壁の上端とが干渉しないように、図１３（ａ）、（ｂ）に示すように、リブ１１を、溶断、サンダー切断、グラインダー等により耐火間仕切り壁１２の厚さ分だけ切断し、除去する必要があった。
【０００３】
図１３（ｂ）において、Ｘは、リブ部１の縦方向の切断線を示し、Ｙは、リブ１１の長手方向の切断線を示す。
【０００４】
なお、従来のフラットデッキプレートは、図１４に示すように、フランジ１３と、フランジ１３の下面に形成された複数本（この例では、２本）のリブ１１とからなり、図１５に示すように、リブ１１の両端部には、リブ１１を押し潰すことによって、梁材（図示せず）に載置され、固定される載置部１１ａと傾斜部１１ｂとが形成されている。
【０００５】
このフラットデッキプレートを連結するには、図１６に示すように、一方のフラットデッキプレートＡのフランジ１３に形成された折り曲げ片１４を他方のフラットデッキプレートＢの合せ部１５内に挿入する。
【発明の概要】
【発明が解決しようとする課題】
【０００６】
上述したように、従来のフラットデッキプレートにおいては、床スラブの下面に耐火間仕切り壁１２を構築する際には、フラットデッキプレートのリブ１１と耐火間仕切り壁１２の上端とが干渉しないように、図１３（ｂ）に示すように、リブ１１を耐火間仕切り壁１２の厚さ分だけ切断し、除去する必要があるが、切断線Ｙで示すように、リブ１１を長手方向に切断する場合、どうしても残り代１６が残る。
【０００７】
この残り代１６があると、耐火間仕切り壁１２の構築に支障を来たすので、ハンマー等で残り代１６に打撃を加えて、残り代１６を水平に折り曲げる必要があった。
【０００８】
このように、従来、フラットデッキプレート型枠工法により、床スラブの下面に間仕切り壁を構築する際には、リブ１１を耐火間仕切り壁１２の厚さ分だけ切断して除去する必要があった。しかも、残り代１６を水平に折り曲げる必要があるので、作業時間が長くなるとともに、構築コストが嵩むといった問題があった。
【０００９】
従って、この発明の目的は、例えば、フラットデッキプレート型枠工法により、床スラブの下面に間仕切り壁を構築する際に、フラットデッキプレートのリブの切断を不要とすることによって、作業時間の短縮と、構築コストの低減を図ることができるデッキプレートを提供することにある。
【課題を解決するための手段】
【００１０】
この発明は、上記目的を達成するためになされたものであって、下記を特徴とする。
【００１１】
請求項１に記載の発明は、鋼製型枠工法において使用されるデッキプレートにおいて、上部プレートと、前記上部プレートに対して着脱可能に設けられた複数本のデッキプレート用補強リブとからなることに特徴を有するものである。
【００１２】
請求項２に記載の発明は、請求項１に記載の発明において、前記デッキプレートは、前記上部プレートと、前記上部プレートの下面に、前記デッキプレート用補強リブが取り付け手段を介して着脱可能に取り付けられたフラットデッキプレートからなることに特徴を有するものである。
【００１３】
請求項３に記載の発明は、請求項２に記載の発明において、前記取り付け手段は、スナップボタン、面ファスナー、接着剤、取り外し可能なビス、または、嵌合構造からなっていることに特徴を有するものである。
【００１４】
請求項４に記載の発明は、請求項３に記載の発明において、前記嵌合構造は、前記上部プレートに形成された凹部と、前記デッキプレート用補強リブの上面に形成された、前記凹部に嵌合する凸部とからなることに特徴を有するものである。
【００１５】
請求項５に記載の発明は、請求項３に記載の発明において、前記嵌合構造は、前記上部プレートに形成された凸部と、前記デッキプレート用補強リブの上面に形成された、前記凸部が嵌合する凹部とからなることに特徴を有するものである。
【００１６】
請求項６の記載の発明は、請求項１から５の何れか１つに記載の発明において、前記上部プレートには、上部プレート用補強リブが形成されていることに特徴を有するものである。
【００１７】
請求項７に記載の発明は、請求項６に記載の発明において、前記上部プレート用補強リブは、前記上部プレートの長手方向に沿って形成されていることに特徴を有するものである。
【発明の効果】
【００１８】
この発明によれば、例えば、フラットデッキプレート型枠工法により、床スラブの下面に間仕切り壁を構築する際に、リブを上部プレートから取り外すことができるので、フラットデッキプレートのリブの切断が不要となる結果、作業時間の短縮と、構築コストの低減を図ることができる。
【００１９】
また、この発明によれば、リブを上部プレートから取り外すことができるので、リブの再使用が可能になる。
【図面の簡単な説明】
【００２０】
【図１】リブに上部プレートを取り付ける前の、この発明のフラットデッキプレートを示す断面図である。
【図２】リブに上部プレートを取り付けた後の、この発明のフラットデッキプレートを示す断面図である。
【図３】この発明のフラットデッキプレートのリブを示す部分正面図である。
【図４】この発明のフラットデッキプレートのリブを示す部分平面図である。
【図５】この発明のフラットデッキプレートのリブを示す断面図である。
【図６】フラットデッキプレートの断面係数を求める説明図である。
【図７】この発明のフラットデッキプレートの上部プレートを示す断面図である。
【図８】他の形状の上部プレートを示す断面図である。
【図９】他の形状のリブを示す断面図である。
【図１０】上部プレートとリブとの取り付け構造を示す断面図である。
【図１１】上部プレートとリブとの他の取り付け構造を示す断面図である。
【図１２】この発明のフラットデッキプレートの撤去方法を示す説明図である。
【図１３】従来フラットデッキプレートを示す図であり、（ａ）は、リブの断面図、（ｂ）は、リブの切断線を示す正面図である。
【図１４】連結前の従来フラットデッキプレートを示す断面図である。
【図１５】従来フラットデッキプレートを示す部分正面図である。
【図１６】連結後の従来フラットデッキプレートを示す断面図である。
【発明を実施するための形態】
【００２１】
この発明の一実施態様を、図面を参照しながら説明する。
【００２２】
以下の説明は、デッキプレートとして、フラットデッキプレートを例に挙げるが、他のデッキプレートであってもよい。
【００２３】
図１は、リブに上部プレートを取り付ける前の、この発明のフラットデッキプレートを示す断面図、図２は、リブに上部プレートを取り付けた後の、この発明のフラットデッキプレートを示す断面図である。
【００２４】
図１および図２に示すように、この発明のフラットデッキプレートは、上部プレート１と、上部プレート１の下面に取り付け手段２を介して着脱可能に取り付けられる複数本のリブ３とからなっている。
【００２５】
上部プレート１は、鋼板からなり、リブ３は、図３から図５に示すように、断面三角形状をなし、上部に合せ部４が形成されている。リブ３の他の形状としては、図９（ａ）から（ｅ）に示すものがあるが、これらの形状に限定されない。なお、リブ３の両側には、上述した従来フラットデッキプレートと同様に、載置部３ａと傾斜部３ｂとが形成されている。
【００２６】
このように構成されている、この発明のフラットデッキプレートを設置するには、図２に示すように、複数本（この例では、３本）のリブ３の合せ部４上に上部プレート１を乗せ、取り付け手段２を介してリブ３と上部プレート１とを着脱可能に取り付ける。
【００２７】
リブ３と上部プレート１とを着脱可能にできる理由は、以下の通りである。
【００２８】
図６に示すような従来のフラットデッキプレートにおいては、幅厚比の規定から、フランジ１３の折り曲げ部１４またはリブ１１から有効幅（ｄ）の１/２を超える部分を控除した有効断面二次モーメントから断面係数を求めている。図６において、控除部をＳで示す。
【００２９】
従って、断面係数を算定する際には、上記控除部Ｓは、考慮されず、控除部Ｓは、単に打設されるコンクリートを堰き止める役目を果たすだけである。このことから、断面係数の算定で有効なリブ３と、コンクリートを堰き止める上部プレート１とを分離しても問題はない。
【００３０】
この発明によれば、断面係数の算定で有効なリブ３と、コンクリートを堰き止める上部プレート１とを分離可能とすることによって、床スラブの下面に、例えば、耐火間仕切り壁を構築する際に、リブ３を取り外して、撤去することができるので、リブ３の切断が不要となる結果、作業時間の短縮と、構築コストの低減を図ることができる。
【００３１】
しかも、リブ３を上部プレート１から取り外すことができるので、リブ３の再使用が可能になる。
【００３２】
取り付け手段２としては、上部プレート１上に打設されたコンクリートが硬化した後、リブ３を上部プレート１から容易に取り外して、撤去することがきる、例えば、スナップボタン、面ファスナー、接着剤、取り外し可能なビス、または、嵌合構造を使用する。
【００３３】
取り付け手段２による取り付け間隔は、コンクリート厚や施工時の荷重により異なるが、コンクリート打設時にリブ３が座屈しない間隔であればよい。
【００３４】
なお、リブ３を取り外すには、図１２に示すように、フラットデッキプレートが張り渡される梁８内にリブ３の載置部３ａの挿入部９を形成しておき、コンクリート硬化後、リブ３を挿入部９の一方側に寄せることによって取り外すことができる。
【００３５】
取り付け手段２としての嵌合構造は、例えば、図１０、図１１に示すように、上部プレート１に形成された凹部５と、リブ３の上面に形成された、凹部５に嵌合する凸部６とからなる。なお、上部プレート１に凸部６を形成し、リブ３の上面に凸部６が嵌合する凹部５を形成してもよい。
【００３６】
上記何れの嵌合構造においても、リブ３を上部プレート１に容易かつ確実に取り付けることは勿論、上部プレート１の剛性を高めることもできる。
【００３７】
図７および図８に示すように、上部プレート１に、上部プレート１の長手方向に沿って補強リブ７を形成することにより、上部プレート１の平面剛性が向上するので、コンクリート打設時に生じる上部プレート１のたわみ量の減少や、作業時のスリップ防止対策にもなる。なお、図７および図８において△印は、リブ３の取り付け位置である。
【００３８】
以上、説明したように、この発明によれば、例えば、フラットデッキプレート型枠工法により、床スラブの下面に間仕切り壁を構築する際に、リブ３を上部プレート１から取り外すことができるので、フラットデッキプレートのリブ３の切断が不要となる結果、作業時間の短縮と、構築コストの低減を図ることができる。
【００３９】
また、この発明によれば、リブ３を上部プレート１から取り外すことができるので、リブ３の再使用が可能になる。
【符号の説明】
【００４０】
１：上部プレート
２：取り付け手段
３：リブ
３ａ：載置部
３ｂ：傾斜部
４：合せ部
５：凹部
６：凸部
７：補強リブ
８：梁
９：挿入部
１１：リブ
１１ａ：載置部
１１ｂ：傾斜部
１２：耐火間仕切り壁
１３：フランジ部
１４：折り曲げ部
１５：合せ部
１６：残り代
【図１】
2019065511.tif 000003
【図２】
2019065511.tif 000004
【図３】
2019065511.tif 000005
【図４】
2019065511.tif 000006
【図５】
2019065511.tif 000007
【図６】
2019065511.tif 000008
【図７】
2019065511.tif 000009
【図８】
2019065511.tif 000010
【図９】
2019065511.tif 000011
【図１０】
2019065511.tif 000012
【図１１】
2019065511.tif 000013
【図１２】
2019065511.tif 000014
【図１３】
2019065511.tif 000015
【図１４】
2019065511.tif 000016
【図１５】
2019065511.tif 000017
【図１６】
2019065511.tif 000018